(57)【要約】【課題】縫い目や継ぎ目が全く存在せず、耐久性が良い座位姿勢矯正ベルトを提供する。【解決手段】弾性ゴム又は弾性エラストマーから成る一体成型弾性体であって、中央腰当て帯部１と、中央腰当て帯部１の左右各々に連設された膝掛帯部２とを、有する。中央腰当て帯部１の中央高さ位置に、中央腰当て帯部１を上腰当て部１ａと下腰当て部１ｂとに分割形成する、左右方向にスリット状の中央孔部３を有し、かつ、各膝掛帯部２の中央高さ位置に、膝掛帯部２を上膝掛部２ａと下膝掛部２ｂとに分割形成する、長手方向にスリット状の側端孔部４を有し、中央腰当て帯部１を使用者Ｕの背中Ｂ側に配設するとともに、上記膝掛帯部２を使用者Ｕの左右各々の膝Ｎに掛けて、弾発復元力Ｆにより座位姿勢を矯正するように構成する。【選択図】図１
2020130619.tif 000002
【特許請求の範囲】
【請求項１】
弾性ゴム又は弾性エラストマーから成る一体成型弾性体であって、
中央腰当て帯部（１）と、該中央腰当て帯部（１）の左右各々に連設された膝掛帯部（２）とを、有し、
上記中央腰当て帯部（１）を使用者（Ｕ）の背中（Ｂ）側に配設するとともに、上記膝掛帯部（２）を使用者（Ｕ）の左右各々の膝（Ｎ）に掛けて、弾発復元力（Ｆ）により座位姿勢を矯正するように構成したことを特徴とする座位姿勢矯正ベルト。
【請求項２】
上記中央腰当て帯部（１）の中央高さ位置に、該中央腰当て帯部（１）を上腰当て部（１ａ）と下腰当て部（１ｂ）とに分割形成する、左右方向にスリット状の中央孔部（３）を有する請求項１記載の座位姿勢矯正ベルト。
【請求項３】
上記各膝掛帯部（２）の中央高さ位置に、該膝掛帯部（２）を上膝掛部（２ａ）と下膝掛部（２ｂ）とに分割形成する、長手方向にスリット状の側端孔部（４）を有する請求項１又は２記載の座位姿勢矯正ベルト。
【請求項４】
上記中央腰当て帯部（１）の肉厚寸法（ｔ1 ）を、５mm以上15mm以下に設定するとともに、上記膝掛帯部（２）の肉厚寸法（ｔ2 ）を、２mm以上７mm以下に設定し、かつ、上記膝掛帯部（２）の肉厚寸法（ｔ2 ）を、上記中央腰当て帯部（１）の肉厚寸法（ｔ1 ）以下に設定し、
さらに、上記中央腰当て帯部（１）の幅寸法（ｗ1 ）を、60mm以上 150mm以下に設定するとともに、上記膝掛帯部（２）の幅寸法（ｗ2 ）を、40mm以上80mm以下に設定した請求項１，２又は３記載の座位姿勢矯正ベルト。
【請求項５】
ＪＩＳ  Ｋ７３１２に規定されているＴＹＰＥ  Ａ試験器を用いて測定される硬度が、Ａ２〜Ａ１２の弾性体から成る請求項１，２，３又は４記載の座位姿勢矯正ベルト。
【発明の詳細な説明】
【技術分野】
【０００１】
本発明は、座位姿勢矯正ベルトに関する。
【背景技術】
【０００２】
従来、座位姿勢を矯正するために、使用者の腰と膝との間に弾性があるベルトを配設して、弾発復元力により座位姿勢を矯正する座位矯正ベルトが知られている（例えば、特許文献１参照）。
【先行技術文献】
【特許文献】
【０００３】
【特許文献１】特許第５３１９６８０号公報
【発明の概要】
【発明が解決しようとする課題】
【０００４】
しかし、特許文献１記載の座位姿勢矯正ベルトは、布製であって、複数の素材（バックルや面状ファスナーやベルト片等）を縫製し、かつ、縫製箇所も多い構成であるため、製作工程も多くなり、製作に手間が掛かるという問題や、腰部や膝部への装着及び離脱も、容易でないという問題がある。
そこで、本発明は、製作が容易で、大量生産にも適し、かつ、腰部や膝部への装着及び離脱も、容易な座位姿勢矯正ベルトを提供することを目的とする。また、使用者の好みに応じて、使用者の腰部及び膝部の圧接部位を容易に変更することができる座位姿勢矯正ベルトを提供することを目的とする。
【課題を解決するための手段】
【０００５】
本発明に係る座位姿勢矯正ベルトは、弾性ゴム又は弾性エラストマーから成る一体成型弾性体であって、中央腰当て帯部と、該中央腰当て帯部の左右各々に連設された膝掛帯部とを、有し、上記中央腰当て帯部を使用者の背中側に配設するとともに、上記膝掛帯部を使用者の左右各々の膝に掛けて、弾発復元力により座位姿勢を矯正するように構成したものである。
【０００６】
また、上記中央腰当て帯部の中央高さ位置に、該中央腰当て帯部を上腰当て部と下腰当て部とに分割形成する、左右方向にスリット状の中央孔部を有するものである。
また、上記各膝掛帯部の中央高さ位置に、該膝掛帯部を上膝掛部と下膝掛部とに分割形成する、長手方向にスリット状の側端孔部を有するものである。
【０００７】
また、上記中央腰当て帯部の肉厚寸法を、５mm以上15mm以下に設定するとともに、上記膝掛帯部の肉厚寸法を、２mm以上７mm以下に設定し、かつ、上記膝掛帯部の肉厚寸法を、上記中央腰当て帯部の肉厚寸法以下に設定し、さらに、上記中央腰当て帯部の幅寸法を、60mm以上 150mm以下に設定するとともに、上記膝掛帯部の幅寸法を、40mm以上80mm以下に設定したものである。
また、ＪＩＳ  Ｋ７３１２に規定されているＴＹＰＥ  Ａ試験器を用いて測定される硬度が、Ａ２〜Ａ１２の弾性体から成るものである。
【発明の効果】
【０００８】
本発明の座位姿勢矯正ベルトによれば、縫い目や継ぎ目が全く存在せず、製作工程が少なく、容易に製造することができ、腰部や膝部への装着及び離脱も、容易である。また、簡易な構成でありながら、使用者の腰部及び膝部の各々に対する圧接部位を、使用者の好みに応じて容易に変更することができる。
【図面の簡単な説明】
【０００９】
【図１】本発明の実施の一形態の使用状態を示す斜視図である。
【図２】他の使用状態を示す斜視図である。
【図３】別の使用状態を示す斜視図である。
【図４】さらに別の使用状態を示す斜視図である。
【図５】斜視図である。
【図６】正面図である。
【図７】底面図である。
【図８】図６のＡ−Ａ端面図である。
【図９】図６のＢ−Ｂ端面図である。
【発明を実施するための形態】
【００１０】
以下、図示の実施の形態に基づいて本発明を詳説する。図１は、本発明の実施の一形態の使用状態の一例を示す。本発明の座位姿勢矯正ベルトは、弾性ゴム（熱可塑性ゴム）又は弾性エラストマー（熱可塑性エラストマー）から成る一体成型弾性体である。ＪＩＳ  Ｋ７３１２に規定されるＴＹＰＥ  Ａ試験器を用いて測定される硬度がＡ２〜Ａ１２に設定されている。好ましくは、硬度Ａ３〜Ａ１０とする。即ち、ゼリー菓子のように非常に柔らかく、かつ、小さな力で弾性変形させて容易に引き延ばせるように形成されている。
【００１１】
図１に示すように、座位姿勢矯正ベルトを、使用者Ｕの腰Ｅと左右の膝Ｎとの間に懸架状に配設して、弾発復元力Ｆにより座位姿勢を矯正する。図２は、他の使用状態を示す。使用者Ｕの腰部及び膝部に当接する座位姿勢矯正ベルトの（全体としての）幅寸法（上下寸法）を減少させることにより、使用者Ｕの腰部及び膝部の各々にかかる圧接力を増加させた（即ち、局部的・集中的に強く圧接する）使用状態である。図３は、別の使用状態を示す。座位姿勢矯正ベルトを、交叉状（クロス状）に膝Ｎに引掛けて使用する。図４は、さらに別の使用状態を示す。座位姿勢矯正ベルトを、交叉状に膝Ｎに引掛けて、矢印Ｙに示すように足Ｌを揺動させ、臀部Ｄ（図１〜図３参照）の筋肉を動かし、股関節の柔軟体操をして動きをスムーズにするのに好適である。また、足Ｌの筋肉を鍛える運動を行ったり、ストレッチをすることができる。
【００１２】
図５〜図９に示すように、中央腰当て帯部１と、中央腰当て帯部１の左右各々に連設された膝掛帯部２とを、有する。中央腰当て帯部１の中央高さ位置に、中央腰当て帯部１（の全部又は一部）を上腰当て部１ａと下腰当て部１ｂとに分割形成する、左右方向にスリット状の中央孔部３を有する。各膝掛帯部２の中央高さ位置に、膝掛帯部２（の全部又は一部）を上膝掛部２ａと下膝掛部２ｂとに分割形成する、長手方向にスリット状の側端孔部４を有する。中央腰当て帯部１を使用者Ｕの背中Ｂ（図１〜図３参照）側に配設するとともに、膝掛帯部２を左右各々の膝Ｎに掛けて、弾発復元力Ｆにより座位姿勢を矯正するように構成する。図２の使用状態に示すように、上腰当て部１ａと下腰当て部１ｂとを開いて使用することができる。図２の使用状態に示すように、上膝当て部２ａと下膝当て部２ｂとを重ねて使用することができる。
【００１３】
中央腰当て帯部１の肉厚寸法ｔ1 （図７参照）を、５mm以上15mm以下に設定するとともに、膝掛帯部２の肉厚寸法ｔ2 を、２mm以上７mm以下に設定し、かつ、膝掛帯部２の肉厚寸法ｔ2 を、中央腰当て帯部１の肉厚寸法ｔ1 以下に設定する。中央腰当て帯部１の肉厚寸法ｔ1 が、５mm未満の場合、使用時の強度が不足する。即ち、耐久性が悪くなる。中央腰当て帯部１の肉厚寸法ｔ1 が、15mmを超える場合、中央腰当て帯部１が身体に密接状に変形しにくくなり、使用感が悪くなる。膝掛帯部２の肉厚寸法ｔ2 が、２mm未満の場合、適切な弾発復元力Ｆが得られない。即ち、弾発復元力Ｆが小さくなり過ぎる。膝掛帯部２の肉厚寸法ｔ2 が、７mmを超える場合、膝掛帯部２を膝Ｎに掛ける際、大きな力が必要になり、容易に膝Ｎに掛けることができない。膝掛帯部２の肉厚寸法ｔ2 が、中央腰当て帯部１の肉厚寸法ｔ1 を超える場合、使用感が悪くなる。
【００１４】
中央腰当て帯部１の幅寸法ｗ1 （図６参照）を、60mm以上 150mm以下に設定するとともに、膝掛帯部２の幅寸法ｗ2 を、40mm以上80mm以下に設定する。中央腰当て帯部１の幅寸法ｗ1 が、60mm未満の場合、適切に座位姿勢を矯正することができない。中央腰当て帯部１の幅寸法ｗ1 が、 150mmを超える場合、使用感が悪くなる。膝掛帯部２の幅寸法ｗ2 が40mm未満の場合、強度不足となる。膝掛帯部２の幅寸法ｗ2 が、80mmを超える場合、使用時に膝Ｎに配設するのに手間がかかる。
【００１５】
座位姿勢矯正ベルトは、ＪＩＳ  Ｋ７３１２に規定されているＴＹＰＥ  Ａ試験器を用いて測定される硬度が、Ａ３〜Ａ１０の弾性体から成る。ＪＩＳ  Ｋ７３１２に規定されているＴＹＰＥ  Ａ試験器を用いて測定される硬度が、Ａ３未満の場合、適切な弾発復元力Ｆが得られない。即ち、弾発復元力Ｆが小さくなり過ぎる。ＪＩＳ  Ｋ７３１２に規定されているＴＹＰＥ  Ａ試験器を用いて測定される硬度が、Ａ１０を越える場合、膝掛帯部２を膝Ｎに掛ける際、大きな力が必要になり、容易に膝Ｎに掛けることができない。
【００１６】
なお、本発明は、設計変更可能であって、例えば、中央孔部３を省略するも良い。また、側端孔部４を省略するも良い。また、中央孔部３の形状を、（左右方向にスリット状の）横長菱型等とするも良い。
【００１７】
以上のように、本発明は、弾性ゴム又は弾性エラストマーから成る一体成型弾性体であって、中央腰当て帯部１と、該中央腰当て帯部１の左右各々に連設された膝掛帯部２とを、有し、上記中央腰当て帯部１を使用者Ｕの背中Ｂ側に配設するとともに、上記膝掛帯部２を使用者Ｕの左右各々の膝Ｎに掛けて、弾発復元力Ｆにより座位姿勢を矯正するように構成したので、縫い目や継ぎ目が全く存在せず、耐久性が良い。特に、クロス状の使用状態（図３・図４参照）に於て、中央腰当て帯部１及び膝掛帯部２が相互に摺接しても、（布製のものと比較して）耐久性が良い。さらに、容易に製造することができる。
【００１８】
また、上記中央腰当て帯部１の中央高さ位置に、該中央腰当て帯部１を上腰当て部１ａと下腰当て部１ｂとに分割形成する、左右方向にスリット状の中央孔部３を有するので、上腰当て部１ａと下腰当て部１ｂとを開いたり重ねたりすることにより、使用者Ｕの腰部に対する圧接部位及び圧接力を、使用者Ｕの好みに応じて変更することができる。
また、上記各膝掛帯部２の中央高さ位置に、該膝掛帯部２を上膝掛部２ａと下膝掛部２ｂとに分割形成する、長手方向にスリット状の側端孔部４を有するので、簡易な構成でありながら、上膝掛部２ａと下膝掛部２ｂとを開いたり重ねたりすることにより、使用者Ｕの膝部の各々に対する圧接部位及び圧接力を、使用者Ｕの好みに応じて容易に変更することができる。
【００１９】
また、上記中央腰当て帯部１の肉厚寸法ｔ1 を、５mm以上15mm以下に設定するとともに、上記膝掛帯部２の肉厚寸法ｔ2 を、２mm以上７mm以下に設定し、かつ、上記膝掛帯部２の肉厚寸法ｔ2 を、上記中央腰当て帯部１の肉厚寸法ｔ1 以下に設定し、さらに、上記中央腰当て帯部１の幅寸法ｗ1 を、60mm以上 150mm以下に設定するとともに、上記膝掛帯部２の幅寸法ｗ2 を、40mm以上80mm以下に設定したので、適切な弾発復元力Ｆによって座位姿勢を矯正することができるとともに、容易に使用することができ、かつ、使用感が良い。中央腰当て帯部１が肉厚なので、伸びにくく、腰Ｅに安定して当たるとともに、膝掛帯部２が肉薄なので、伸びやすく、適切な弾発復元力Ｆを生じる。
【００２０】
また、ＪＩＳ  Ｋ７３１２に規定されているＴＹＰＥ  Ａ試験器を用いて測定される硬度が、Ａ２〜Ａ１２の弾性体から成るので、身体に密接状となり、使用感が良い。特に、女性や高齢者にとっても、痛みを与えることなく、使用することができる。
【符号の説明】
【００２１】
１  （ベルト状）中央腰当て帯部
１ａ  上腰当て部
１ｂ  下腰当て部
２  （ベルト環状）膝掛帯部
２ａ  上膝掛部
２ｂ  下膝掛部
３  中央孔部
４  側端孔部
Ｂ  背中
Ｆ  弾発復元力
Ｎ  膝
ｔ1   肉厚寸法
ｔ2   肉厚寸法
ｗ1   幅寸法
ｗ2   幅寸法
【図１】
2020130619.tif 000003
【図２】
2020130619.tif 000004
【図３】
2020130619.tif 000005
【図４】
2020130619.tif 000006
【図５】
2020130619.tif 000007
【図６】
2020130619.tif 000008
【図７】
2020130619.tif 000009
【図８】
2020130619.tif 000010
【図９】
2020130619.tif 000011